(57)【要約】【解決課題】  広告メッセージ媒体としての機能を有効に活用しうる食事収容容器を提供する。【解決手段】  上方開口を有する外側容器２と、この外側容器２の上方開口からこの外側容器に内挿され食事を収容するための第１の内側容器３とを有し、上記外側容器２は、手持ち部分となる下方部２ｂと、手持ち部分から上方に延出して外側面に所定の印刷メッセージ５が表示されてなる上方部２ａとを有するものであり、上記下方部２ｂをユーザが両手のうち一方の手で保持し、他方の手で上記内側容器からの食事動作を行う際に、上記上方部２ａの外側面に印刷された前記所定メッセージ５が上記一方の手で隠れない寸法で構成されている。【選択図】  図１
2019097845.tif 000002
【特許請求の範囲】
【請求項１】
食事収容容器であって、
上方開口を有する外側容器と、
この外側容器の上方開口からこの外側容器に内挿され食事を収容するための第１の内側容器と
を有し、
上記外側容器は、手持ち部分となる下方部と、手持ち部分から上方に延出して外側面に所定の印刷メッセージが表示されてなる上方部とを有するものであり、
上記外側容器は、上記下方部をユーザが両手のうち一方の手で保持し、他方の手で上記内側容器からの食事動作を行う際に、上記上方部の外側面に印刷された前記所定メッセージが上記一方の手で隠れない寸法で構成されており、
かつ、上記内側容器の深さは、上記外側容器の下方部に延長しない寸法に設定され、上記下方部内に、上記外側容器に収容された食事と上記ユーザの一方の手の間を断熱する断熱空間部を構成するものである
ことを特徴とする食事収容容器。
【請求項２】
請求項１記載の食事収容容器であって、
さらに、
上記外側容器の下方部の断熱空間部に収容され、食事以外の物品を収容する第２の内側容器をさらに有するものである
ことを特徴とする食事収容容器。
【請求項３】
請求項１記載の食事収容容器であって、
上記外側容器の下方部には、上記第２の内側容器に収容された物品を観察するための覗き孔が形成されている
ことを特徴とする食事収容容器。
【請求項４】
請求項３記載の食事収容容器において、
前記覗き孔は星形である
ことを特徴とする食事収容容器。
【請求項５】
請求項１記載の食事収容容器において、
上記外側容器と内側容器にはロック機構が設けられ、相互に嵌合することで内側容器が外側容器から脱落しないように構成されていることを特徴とする食事収容容器。
【請求項６】
請求項1記載の食事収容容器において、
上記外側容器は、横断面の空間の面積が上方部から下方部向かって次第に小さくなるように形成されてなるものである
ことを特徴とする食事収容容器。
【請求項７】
請求項１記載の食事収容容器において、
上記外側容器は紙で成形されているものである
ことを特徴とする食事収容容器。
【発明の詳細な説明】
【技術分野】
【０００１】
この発明は、食事収容容器に関し、特に、片手で保持しながら食事を行なえる手持ち式の食事収容容器に関するものである。
【背景技術】
【０００２】
従来、テイクアウト用の食事収容容器として、使い捨てのものが広く使用されている。
【０００３】
このような食事収容容器は、断熱性の高い紙材料若しくは発泡材料によって形成された無地のごくシンプルな形状ものか、それに舗のロゴや特有のデザインが印刷されたものであることが多い。
【発明の概要】
【発明が解決しようとする課題】
【０００４】
ところで、従来のテイクアウト用食事収納容器は、その表面に何らかのデザインが付されている場合であっても、それは専ら食事をする者若しくはその食事を購入する者に対するメッセージであった。
【０００５】
この発明は、従来のテイクアウト用食事収容容器が広告メッセージ媒体として有効に機能していないという発明者の知見に基づいてなされたものであり、その目的は、広告メッセージ媒体としての機能を有効に活用しうる食事収容容器を提供することにある。
【課題を解決するための手段】
【０００６】
上記目的を達成するため、この発明の第一の主要な観点によれば、食事収容容器であって、上方開口を有する外側容器と、この外側容器の上方開口からこの外側容器に内挿され食事を収容するための第１の内側容器とを有し、上記外側容器は、手持ち部分となる下方部と、手持ち部分から上方に延出して外側面に所定の印刷メッセージが表示されてなる上方部とを有するものであり、上記外側容器は、上記下方部をユーザが両手のうち一方の手で保持し、他方の手で上記内側容器からの食事動作を行う際に、上記上方部の外側面に印刷された前記所定メッセージが上記一方の手で隠れない寸法で構成されており、かつ、上記内側容器の深さは、上記外側容器の下方部に延長しない寸法に設定され、上記下方部内に、上記外側容器に収容された食事と上記ユーザの一方の手の間を断熱する断熱空間部を構成するものであることを特徴とする食事収容容器が提供される。
【０００７】
このような構成によれば、食事を保持する第１の内側容器が外側容器によって上方向の口に近い高さに持ち上げられることになる。そして、この構成では、外側容器の手で隠されない位置に印刷メッセージが表示されていて、それが口に近い位置に表示されることになるから、第三者に対するメッセージ伝達効果が高くなる。例えば、インスタグラム（登録商標）等にその印刷メッセージが映り込むという効果を得ることができる。また、食事が冷たかったり暑かったりするものでも、片手で快適に手持ちしながら、もう他方の手を使用して食事することができる。
【０００８】
また、この発明の好ましい一実施形態によれば、この発明の食事収容容器は、上記外側容器の下方部の断熱空間部に収容され、食事以外の物品を収容する第２の内側容器をさらに有するものである。この場合、上記外側容器の下方部には、上記第２の内側容器に収容された物品を観察するための覗き孔が形成されていることが好ましい。
【０００９】
このような構成によれば、おまけ等の物品も安全に収納できるものであり、かつ、この第２の内側容器が前記外側容器を補強する効果を得ることができる。
【００１０】
さらに、別の一実施態様によれば、前記食事収容容器において、上記外側容器と内側容器にはロック機構が設けられ、相互に嵌合することで内側容器が外側容器から脱落しないように構成されていることを特徴とするものが提供される。
【００１１】
このような構成によれば、この食事収納容器を持っている際に不安定な姿勢となった場合でも、第１の食事容器が脱落してしまうことを防止できる。
【００１２】
更なる別の一実施態様によれば、請求項1記載の食事収容容器において、上記外側容器は、横断面の空間の面積が上方部から下方部向かって次第に小さくなるように形成されてなるものである。
【００１３】
このような構成によれば、食事する者は自然に外側容器の下方部を保持することになり、上方部に形成された印刷メッセージが隠されることがない。
【００１４】
なお、この発明の上記以外の特徴は、以下の発明の実施形態の項及び図面に開示される。
【図面の簡単な説明】
【００１５】
【図１】図１は、この発明の一実施形態を示す概略構成図。
【００１６】
【図２】図２（ａ）、（ｂ）は、同じく正面図及び縦断面図。
【００１７】
【図３】図３は、同じく外側容器の展開図。
【００１８】
【図４】図４は、同じく、外側容器を組み立て状態を示す図。
【００１９】
【図５】図５は、同じく、第１の内側容器を斜め上から見た斜視図。
【００２０】
【図６】図６は、同じく、第１の内側容器を斜め下から見た斜視図。
【発明を実施するための形態】
【００２１】
以下、この発明の一実施形態を、添付図面を参照して説明する。
【００２２】
１．全体構成
図１、図２は、この発明の一実施形態に係る食事収容容器１を示す概略構成図である。
【００２３】
図１は、この食事収容容器１を片手で保持した状態を示す正面図、図２（ａ）、（ｂ）は互いに対応する正面図及び縦断面図を示すものである。
【００２４】
この食事収容容器１は、上方開口を有するコーン形状の外側容器２と、図２（ｂ）に示すように、この外側容器２の上方開口から挿入され食事を収容するための第１の内側容器３と、同じく図２（ｂ）に示すように、この第１の内側容器３の下側に挿入され食事以外の例えばおまけ等の物品を保持するための第２の内側容器４とを有する。
【００２５】
図１及び図２（ａ）に示すように、上記第１の内側容器３が収納されている部分に対応する上記外側容器２の上方部２ａの外表面には広告等のメッセージ５（この例では点線で囲んだ領域に「Ｙｅｌｏ」のロゴ）が印刷されている。また、上記第２の内側容器４が収容されている部分に対応する上記外側容器２の下方部２ｂには、上記第２の内側容器４に収容された物品を外側容器から観察することができるようにするための覗き孔６が設けられている。
【００２６】
また、図１に示すように、上記外側容器２の上端部と上記第１の内側容器３の鍔部とには、この外側容器２と第１の内側容器３とを着脱自在にロックするためのロック機構７，８が設けられている。このロック機構は、上記外側容器２に設けられた上方向に開放する凹状切り欠き部７（凹部７）と、上記第１の内側容器３の鍔部に形成され下方向に突出する凸部８とからなる。上記凹状切り欠き部７は、上方に向かって次第に開口幅が狭まるテーパー状に形成され、上記凸部８は、下方向に向かって次第に幅が狭まる逆テーパー状に形成されている。このことにより、上記凸部８を凹状切り欠き部７に嵌め込んだ場合、互いのテーパー部分が係合してロックされるようになっている。
【００２７】
このロック機構７，８は、周方向に沿って１２０度間隔で三箇所に設けられている。このことにより、上記第１の内側容器３と外側容器２はより確実に結合されるようになっている。
【００２８】
２．外側容器の構成
図３は、この外側容器２を示す展開図であり、図４は、この外側容器２のみを組み立てた状態を示す斜視図である。
【００２９】
すなわち、図３に示すように、上記外側容器２は展開した状態で扇形状の厚紙で形成されており、半径方向外側が外側容器の上方部２ａ、半径方向中心側が下方部２ｂとなる。そして、上記上方部２ａに相当する部分には、広告などのメッセージ５が印刷されている。そして、外縁部には、前記ロック機構を構成する凹部７が形成されている。
【００３０】
前記外側容器２の寸法は、この外側容器２を、図1に示すように、上記下方部２ｂをユーザが両手のうち一方の手で保持し、他方の手で上記第１の内側容器３からの食事動作を行う際に、上記上方部２ａの外側面に印刷された前記所定メッセージが上記一方の手で隠れない寸法に最適化されているものである。
【００３１】
すなわち、この食事収納容器１を片手で保持するように、上方部２ａは保持できない程度に大きな半径になっていて、下方部２ｂを持たざるを得ず、その場合に、手が上方部２ａにまで至らないように、全体の長さが設定されている必要がある。
【００３２】
この実施形態においては、発明者らが上記知見に従い最適な寸法をトライアンドエラーで特定した結果、中心から外縁までの距離Ｄ１、すなわち、展開図の半径は、約２０ｃｍ、また、中心部から下方部と上方部までの境界までの距離Ｄ２は約１２ｃｍ、扇形状θの中心角は約１００度であった。ただし、もちろんことながら、この寸法に限定されるものではない。
【００３３】
このように外部容器が円錐コーン形状である場合、手の大きさが考えると、Ｄ２は少なくも１０ｃｍ以上、角度θは９０度〜１５０度以下であることが好ましい。また、Ｄ１は大きくても手から口までの距離を考えると、３０ｃｍ以下であることが好ましい。
【００３４】
３．第１の内側容器の構成
図５は、上記第１の内側容器３を斜め情報から見た斜視図、図６は、斜め下から見た斜視図である。
【００３５】
この第１の内側容器３は、保持する食事に応じた耐熱性能を有するプラスティック材料により形成されたもので、上端開口部に形成された鍔部の下面には、上述したロック機構を構成する凸部８が周方向に沿って１２０度間隔で形成されている。
【００３６】
また、この第１の内側容器３の外周面３ａは、上記外側容器２の形状に沿って、一定深さ毎に次第に断面径が狭まる階段状に形成されている。このような階段状の外周面３ａによれば、外側容器２の内面に接する面積を小さくすることができ、その間に空間部が形成されるので、この第１の内側容器３に収納された食事の温度が外側容器２に伝導しづらい。
【００３７】
また、この第１の内側容器３の深さは、図２（ｂ）に示したように、上記外側容器２の下方部２ｂに延長しない寸法に設定されている。このことで、上記外側容器２の下方部内に、上記第１の内側容器３に収容された食事と上記ユーザの一方の手の間を断熱する断熱空間部２ｃが形成されている。
【００３８】
４．第２の内側容器の構成
前記第２の内側容器４は、上記第１の内側容器３の下方に形成された断熱空間部２ｃに収容されている。この第２の内側容器４は、この実施形態では球形状に形成され、上記外側容器に内接した状態で保持されている。この第２の内側容器は、２つの半球容器４ａ、４ｂが中央で開閉可能に組わされてなるものであり、その内部には、おまけ等の物品（図示しない）が収納されている。また、この内側容器４は半球容器４ａ、４ｂのいずれか一方若しくは両方が透明材料で形成されており、外部から前記おまけ等の物品を確認できるようになっている。
【００３９】
そしてこの第２の内側容器４の大きさと前記覗き孔６の位置は、上記第２の内側容器４が上記外側容器２の下方部２ｂの断熱空間部２ｃで保持されたときに、上記覗き孔６から上記物品を確認できるように、その寸法と位置が調整されているのである。
【００４０】
５．作用効果
このような構成によれば、以下の効果を得ることができる。
【００４１】
（１）まず、上記構成によれば、食事を保持する第１の内側容器３が外側容器２によって口に近い高さに持ち上げられているので、食事が冷たかったり熱かったりするものでも、片手で快適に手持ちしながら、もう他方の手を使用して食事することができる。
【００４２】
（２）さらに、第１の内側容器３の外側面３ａは階段状に形成されていることで、外側容器２との接触面積を最小限にすることができる。このことで、外側容器２で第１の内側容器３を安定的に保持しながらも、料理が冷めづらく／温まりづらくなる。
【００４３】
（３）また、外側容器２の手で隠されない位置に印刷メッセージ５が表示されていて、それが口に近い位置に表示されることになるから、例えば、インスタグラム（登録商標）等にその印刷メッセージが映り込むという効果を得ることができる。
【００４４】
（４）第１の内側容器３と外側容器２との間にロック機構７，８が設けられているから、誤って第１の内側容器３が脱落することがない。
【００４５】
（５）外側容器２の下方部２ｂの断熱空間部２ｃ内に第２の内側容器４が挿入されていることにより、外側容器２の下方部２ｂが補強されることになる。このことにより、外側容器２の下方部２ｂを片手で保持していても、この部分が変形することがない。
【００４６】
（７）また、この実施形態では、前記外側容器２の下方部２ｂに覗き孔６が設けられているから、第２の内側容器４に収納されたおまけ等の物品を確認することができる。
【００４７】
なお、この発明は、上記一実施形態に限定されるものではなく、発明の要旨を変更しない範囲で種々変形可能である。
【００４８】
例えば、この食物収容容器１は円錐形状であったが、これに限定されるものではなく、他の形状、例えば角錐状や四角形であっても良い。
【００４９】
また、上記覗き孔６は星形であったが、これに限定されない。外側容器２の強度を考えて適切な大きさであれば、四角でも丸でも構わない。また、必要に応じて、覗き孔６を複数形成しても良い。また、なくても良い。
【００５０】
さらに、第２の内側容器４の形状は球形状に限定されない。また、おまけ等の物品を付けない場合には、この第２の内側容器４自体インストールしなくも良い。
【００５１】
さらに、上記一実施形態では、前記ロック機構は凹部７と凸部８の係合によるものであったが、これに限定されるものではない。例えば鍵型のスリットと突起を設けることにより強固に結合しても良い。
【符号の説明】
【００５２】
１…食事収容容器
２…外側容器
２ａ…上方部
２ｂ…下方部
２ｃ…断熱空間部
３…第１の内側容器
３ａ…外周面
３ｃ…断熱空間部
３ａ…外側面
４…第２の内側容器
４ａ．４ｂ…半球容器
５…印刷メッセージ
６…覗き孔
７…凹部
８…凸部
【図１】
2019097845.tif 000003
【図２】
2019097845.tif 000004
【図３】
2019097845.tif 000005
【図４】
2019097845.tif 000006
【図５】
2019097845.tif 000007
【図６】
2019097845.tif 000008